(57)【特許請求の範囲】
【請求項１】
遊技店から使用済み遊技機として破棄されてセメントプラントに不向きな不要部品の取り外された廃棄台を破砕する破砕機と、破砕機から排出された破砕片を搬送するコンベアと、コンベアを通過させてコンベア上の破砕片を乾燥する乾燥炉からなる乾燥機と、乾燥炉を通過したコンベアから排出された破砕片を圧縮する工程で発生する熱で破砕片中の熱可塑性合成樹脂を軟化させると共に破砕片の容積を圧縮して塊状の減容固化体を形成する減容圧縮機と、減容圧縮機から排出された減容固化体を投入するセメントプラントのロータリキルンと、セメントプラントのロータリキルンから出てセメント原料予熱器を経由した後の廃棄ガスまたはロータリキルンからの周囲から発散される熱を捕集して乾燥機の乾燥炉に誘導するパイプとが、セメントプラント工場に設けられたことを特徴とする遊技機のリサイクル装置。
【請求項２】
遊技店から使用済み遊技機として破棄されてセメントプラントに不向きな不要部品の取り外された廃棄台を破砕する破砕機と、破砕機から排出された破砕片を搬送するコンベアと、コンベアから排出された破砕片を受け入れて乾燥するチップサイロからなる乾燥機と、乾燥機から排出された破砕片を圧縮する工程で発生する熱で破砕片中の熱可塑性合成樹脂を軟化させると共に破砕片の容積を圧縮して塊状の減容固化体を形成する減容圧縮機と、減容圧縮機から排出された減容固化体を投入するセメントプラントのロータリキルンと、セメントプラントのロータリキルンから出てセメント原料予熱器を経由した後の廃棄ガスまたはロータリキルンからの周囲から発散される熱を捕集して乾燥機に誘導するパイプとが、セメントプラント工場に設けられたことを特徴とする遊技機のリサイクル装置。
【請求項３】
破砕機と乾燥機との間に、破砕機から排出された破砕片から金属を除去しこの除金された破砕片を乾燥機のコンベアに供給する選別機が設けられたことを特徴とする請求項１または請求項２記載の遊技機のリサイクル装置。
【発明の詳細な説明】
【０００１】
【発明の属する技術分野】
この発明は遊技球を使用するパチンコ機やメダルを使用するスロットマシーン等のような遊技機が遊技店から使用済み遊技機として破棄された場合に、その破棄された遊技機としての廃棄台をセメントプラントに有効に活用する遊技機のリサイクル装置に関する。
【０００２】
【従来の技術】
特開平９−１２２６３０号公報で開示された遊技機のリサイクルは、廃棄台からセメントプラントに不向きな不要部品を取り外し、その廃棄台を破砕し、その破砕片を圧縮することにより、その圧縮工程で発生する熱で破砕片中の熱可塑性合成樹脂を軟化させると共に破砕片の容積を圧縮して塊状の減容固化体を形成し、その減容固化体をセメントプラントのロータリキルンに投入する方法である。
【０００３】
【発明が解決しようとする課題】
しかし、前記方法では、廃棄台が遊技店から集荷されるまで間に雨曝しであった場合、破砕片に含まれた水分が圧縮工程での熱で減容途中に蒸発して圧縮容器中で水蒸気爆発を起して圧縮工程に悪影響を及ぼす可能性がある。
【０００４】
そこで、本発明は、廃棄台の破砕片を乾燥させて水蒸気爆発を防止することができる遊技機のリサイクル装置を提供しようとするものである。
【０００５】
【課題を解決するための手段】
本発明に係る遊技機のリサイクル装置は、遊技店から使用済み遊技機として破棄されてセメントプラントに不向きな不要部品の取り外された廃棄台を破砕する破砕機と、破砕機から排出された破砕片を搬送するコンベアと、コンベアを通過させてコンベア上の破砕片を乾燥する乾燥炉からなる乾燥機と、乾燥炉を通過したコンベアから排出された破砕片を圧縮する工程で発生する熱で破砕片中の熱可塑性合成樹脂を軟化させると共に破砕片の容積を圧縮して塊状の減容固化体を形成する減容圧縮機と、減容圧縮機から排出された減容固化体を投入するセメントプラントのロータリキルンと、セメントプラントのロータリキルンから出てセメント原料予熱器を経由した後の廃棄ガスまたはロータリキルンからの周囲から発散される熱を捕集して乾燥機の乾燥炉に誘導するパイプとが、セメントプラント工場に設けられたり、または、遊技店から使用済み遊技機として破棄されてセメントプラントに不向きな不要部品の取り外された廃棄台を破砕する破砕機と、破砕機から排出された破砕片を搬送するコンベアと、コンベアから排出された破砕片を受け入れて乾燥するチップサイロからなる乾燥機と、乾燥機から排出された破砕片を圧縮する工程で発生する熱で破砕片中の熱可塑性合成樹脂を軟化させると共に破砕片の容積を圧縮して塊状の減容固化体を形成する減容圧縮機と、減容圧縮機から排出された減容固化体を投入するセメントプラントのロータリキルンと、セメントプラントのロータリキルンから出てセメント原料予熱器を経由した後の廃棄ガスまたはロータリキルンからの周囲から発散される熱を捕集して乾燥機に誘導するパイプとが、セメントプラント工場に設けられたりすることを特徴としている。よって、本発明の遊技機のリサイクル装置によれば、セメントプラントのロータリキルンで発生する熱を破砕片の乾燥に活用するので、乾燥のランニングコストが安くなり、破砕片を乾燥するので、廃棄台を乾燥する場合よりも乾燥機が小形化でき、破砕片から減容固化体を形成する圧縮工程での水蒸気爆発を防止することができる。本発明に係る遊技機のリサイクル装置にあっては、破砕機と乾燥機との間に、破砕機から排出された破砕片から金属を除去しこの除金された破砕片を乾燥機のコンベアに供給する選別機が設けられたりすれば、乾燥のランニングコストを、一層安くすることができる。
【０００６】
【発明の実施の形態】
図１において、各地の遊技店１から使用済み遊技機として破棄された廃棄台２をトラック３で集荷場４に運搬して集荷する。
【０００７】
この集荷された廃棄台２は遊技店１の島に取り付けられた機枠２ａにゲージ盤２ｂが組み込まれたままの状態のものと、遊技店１の島に取り付けられた機枠２ａから取り外された状態のものとがある。
【０００８】
機枠２ａは、前面飾りや上皿セット及び下皿セット等を構成する熱可塑性合成樹脂、枠本体を形成する木材、金具や施錠装置等を構成する鉄系金属、モータ又はソレノイド等に含まれる非鉄系金属、前面光透過性体としてのガラス、灰皿や回路基板等を構成する熱硬化性合成樹脂、回路基板とモータやソレノイドとを接続する電線等の種々雑多な材料で構成されている。
【０００９】
ゲージ盤２ｂは遊技板としてのベニヤ板を形成する木材、前面のデザイン図の描かれたセル板や鉄系金属製のガイドレールや発光表示部のカバー及び入賞球通路構成体更には賞球機構或いは入賞口やランプ風車及びアタッカー等の遊技機能部品を構成する熱可塑性合成樹脂、遊技釘を形成したりモータ又はソレノイド等に含まれる非鉄系金属、遊技板の裏面周縁に設けたフレームを形成したりモータ又はソレノイド等に含まれる鉄系金属、回路基板等を構成する熱硬化性合成樹脂、回路基板とモータやソレノイドとを接続する電線等の種々雑多な材料で構成されている。
【００１０】
このように機枠２ａ単体、ゲージ盤２ｂ単体、ゲージ盤２ｂを含む機枠２ａ等の各種形態を有して集荷された廃棄台２はセメントプラントに不向きな不要部を備えているので、集荷場４において、当該不要部品を取り外す。その不要部品としては、電線２ｃ、ガラス２ｄ、画像表示器２ｅ等である。
【００１１】
現在の廃棄台２では、塩化ビニル被覆を有する電線２ｃはその端末にコネクタを備えており、当該コネクタを接続相手側の部分に設けられた相手側コネクタに嵌合してロック機構で引き抜き防止を図る構造になっていると共に、そのコネクタ接続の箇所も多数存在しているのが一般的であり、各廃棄台２毎に多数箇所に存在しているコネクタのロック機構を手作業で解除して電線２ｃを完全に除去するのは経済的に不利であるから、セメントの製造元と相談し、セメント製造の面から差し支えの無い程度に、ペンチやニッパ等の工具を使用してコネクタの根元から切断して、電線２ｃを廃棄台２から除去する。
【００１２】
また、ガラス２ｄは機枠２ａに用いられているので、ゲージ盤２ｂ単体の場合はガラス２ｄを除去する作業は不要であると共に、機枠２ａ単体又はゲージ盤２ｂを含む機枠２ａの場合も集荷運搬中のガラス２ｄの破損に伴う不慮の事故防止の面から前記トラック３に廃棄台２を積み込む以前にガラス２ｄを機枠２ａから取り外して集荷場４に持ち込まれることもあるし、また遊技店１側で取り外して再利用することもあるので、機枠２ａにガラス２ｄが取り付けられたままの場合だけ、機枠２ａのガラス枠を開けて、そのガラス枠からガラス２ｄを引き抜くようにして取り外すか、または、ガラス２ｄの破片飛散防止用の囲いの有る専用設備を集荷場４に設置し、その専用設備の中でガラス２ｄを砕いて取り外すと共に、当該ガラス２ｄの破片を集めて屑ガラスとしてガラスプラントでの再利用に委ねてもよい。
【００１３】
さらに、画像表示器２ｅはゲージ盤２ｂの裏面に木ねじのようなねじ込み釘で取り付けられているので、当該ねじ込み釘をドライバー等の工具でゲージ盤２ｂより取り外すことによって、画像表示器２ｅをゲージ盤２ｂより取り外すと共に、その画像表示器２ｅの表示面に傷等を付けないようにして所定の場所に整理して保管する。
【００１４】
この実施形態では、遊技釘は廃棄台２の１台に使用されている本数が多いけれどもその重量が少ないうえその材質がセメントプラントに支障の少ない真鍮であることから、遊技釘はゲージ盤２ｂに付けたままとしてある。
【００１５】
電線２ｃ、ガラス２ｄ、画像表示器２ｅ等の不要部品が取り外された廃棄台２を所定のトレー５に規則的に積載した状態でトラック６に積み込んでセメントプラント工場７に運搬して廃棄台置き場７ａにトレー５ごと荷下ろしする。
【００１６】
そして、セメントプラント工場７に荷下ろしされたトレー５をフォークリフト８で破砕機９の受入口を構成するホッパ９ａ上に持ち上げた状態で持ち込み、その状態において、フォークリフト８のトレー５を掛け止め支持しているアタッチメント８ａを操作して前傾状態とし、トレー５から廃棄台２をホッパ９ａの内部に落下投入する。
【００１７】
このホッパ９ａに廃棄台２を投入することにより、破砕機９が廃棄台２を細かな片に破砕し、その破砕片２ｆを破砕機９の排出口９ｂからその下に敷設されたベルトコンベア１０に排出する。
【００１８】
このベルトコンベア１０が破砕片２ｆを後述の乾燥機側に搬送する過程で、その途中に設置された電磁石１１ａを備えた磁力選別機１１がベルトコンベア１０に乗って搬送される破砕片２ｆ中の鉄系金属２ｇを吸着して当該破砕片２ｆ中から除去する。
【００１９】
この磁力選別機１１は電磁石１１ａの外側を囲むゴムのような非磁性の無端帯１１ｂを有しており、その無端帯１１ｂを通して電磁石１１ａの磁力で鉄系金属２ｇを無端帯１１ｂの外側面に吸着し、無端帯１１ｂの一方向への移動に伴い、その上に乗った鉄系金属２ｇが電磁石１１ａから離れるのに従って、無端帯１１ｂ上の鉄系金属２ｇに作用する磁力が減少して最後に全く作用しなくなり、無端帯１１ｂが鉄系金属２ｇを屑置き場１２に運搬して落下排出する。
【００２０】
上記磁力選別機１１で吸着されなかった破砕片２ｆはベルトコンベア１０で乾燥機１３のベルトコンベア１３ａにその上方より落下排出される。
【００２１】
この乾燥機１３では、ベルトコンベア１３ａが乾燥炉１３ｂの内部を入口から出口まで通過する過程において、ベルトコンベア１３ａ上の破砕片２ｆが乾燥炉１３ｂの内部における高温雰囲気に晒されることで、当該破砕片２ｆ中から水分が蒸発し、乾燥炉１３ｂより出て乾燥された破砕片２ｆがベルトコンベア１３ａで減容圧縮機１４のチップサイロ１４ａにその上方より落下投入される。上記破砕片２ｆの乾燥度は、セメントの製造元と相談し、セメント製造の面から差し支えの無い程度である。
【００２２】
この減容圧縮機１４はチップサイロ１４ａの下部に連接された截頭円錐形のケーシングの内部に螺旋状のスクリューコンベアを有する減容圧縮部１４ｂを備えており、この減容圧縮部１４ｂのスクリューコンベアがその駆動回転でチップサイロ１４ａより減容圧縮部１４ｂのケーシングの内径の大きな後端の内部に破砕片２ｆを取り込むと共に、この取り込んだ破砕片２ｆをケーシングの内径の小さな先端側に搬送する過程において、スクリューコンベアとケーシングとで破砕片２ｆを圧縮することにより、その圧縮工程で発生する熱で破砕片２ｆ中の熱可塑性合成樹脂を軟化させると共に破砕片２ｆの容積を圧縮して塊状の減容固化体１５を形成する。
【００２３】
そして、減容圧縮機１４で塊状に固められた減容固化体１５をセメント原料の焼成炉を構成するロータリキルン１６の後端に形成された入口１６ａよりロータリキルン１６の内部に投入する。
【００２４】
この実施形態の方法によれば、セメントプラントに不向きな電線２ｃやガラス２ｄ等の不要部品と画像表示器２ｅ等の再使用部品とが除去された状態で廃棄台２を破砕すると共に、その破砕片２ｆを圧縮減容した塊状の減容固化体１５に形成して、当該減容固化体１５をロータリキルン１６に投入するので、電線２ｃの絶縁被覆を構成する塩化ビニルに含まれる塩素がガス化してサスペンションプレヒータの気体循環通路を狭めたり閉塞する不都合を解消することができ、ガラス２ｄ中のソーダがセメントの成分比率を狂わす不都合も解消することができ、ロータリキルン１６の焼成温度遷移の安定化も図ることができる。
【００２５】
特に、破砕片２ｆが減容圧縮機１４で圧縮減容される前に、破砕片２ｆは乾燥機１３で乾燥される。よって、破砕片２ｆが減容圧縮機１４で圧縮減容される際、破砕片２ｆ中に含まれる水分による水蒸気爆発を起すような不都合は解消できる。結果、廃棄台２が遊技店から集荷されるまで間に雨曝しであった場合でも、係る湿った廃棄台２も適切にセメントプラントでリサイクル処理できる。
【００２６】
乾燥炉１３ｂにおける高温雰囲気は、ロータリキルン１６から出てセメント原料予熱器を経由した後の廃棄ガスを乾燥炉１３ｂにパイプで誘導し、その廃棄ガスを上記パイプ中に設けた図外のファンで乾燥炉１３ｂの内部に吹込むか、又は、ロータリキルン１６の周囲から発散される熱をロータリキルン１６の周囲に設置した図外の外カバーで捕集し、その捕集した熱を乾燥炉１３ｂにパイプで誘導し、その熱を上記パイプ中に設けた図外のファンで乾燥炉１３ｂの内部に吹込めば、乾燥機１３から電熱や燃焼等による特別の乾燥用熱源を省略でき、運転経費（ランニングコスト）が低減できる。
【００２７】
前記実施形態では、破砕片２ｆが減容圧縮機１４のチップサイロ１４ａに投入される前に乾燥機１３に投入されることにより、破砕片２ｆを乾燥したが、チップサイロ１４ａを乾燥機１３として利用しても良い。この場合、チップサイロ１４ａに乾燥用の熱源を設けても良いが、ロータリキルン１６から出てセメント原料予熱器を経由した後の廃棄ガスをチップサイロ１４ａにパイプで誘導し、その廃棄ガスを上記パイプ中に設けた図外のファンでチップサイロ１４ａの内部に吹込むか、又は、ロータリキルン１６の周囲から発散される熱をロータリキルン１６の周囲に設置した図外の外カバーで捕集し、その捕集した熱をチップサイロ１４ａにパイプで誘導し、その熱を上記パイプ中に設けた図外のファンでチップサイロ１４ａの内部に吹込むことも可能である。
【００２９】
又、乾燥機１３は破砕機９の前工程として設けても良い。この場合、乾燥機１３は大形となるが、フォークリフト８から廃棄台２が乾燥機１３に投入され、乾燥された廃棄台２がホッパ９ａに投入され、破砕機９で廃棄台２が適切に破砕できる。
【００３０】
又、集荷場４において灰皿や回路基板等を構成する熱硬化性合成樹脂部品や遊技釘を廃棄台２より取り外しても良い。
【００３１】
又、集荷場４においてバックプレート、施錠装置、金枠、フレーム、打球ユニット、アタッカーユニット、ガイドレール、にモータやソレノイドを含む打球ユニットやアタッカーユニット等の金属製部品を廃棄台２より取り外せば、磁力選別機１１による除金工程が省略できる。
【図面の簡単な説明】
【図１】実施形態を示す工程図。
【符号の説明】
１  遊技店
２  廃棄台
２ｃ  電線（不要部品）
２ｄ  ガラス（不要部品）
２ｅ  画像表示器（不要部品）
２ｆ  破砕片
４  集荷場
９  破砕機
１３  乾燥機
１４  減容圧縮機
１５  減容固化体
１６  ロータリキルン
【図１】
0003628923.tif 000002